(57)【要約】      （修正有）【課題】仕組みが簡単で、低コストで、水を溜めることが可能な調理器蓋を提供する。【解決手段】調理器蓋と調理器蓋に取り付ける取っ手からなり、その調理器蓋の周縁部には、水受け槽が設置されている。調理器蓋の周縁部に外側に膨らんでいる凸部が形成され、水受け槽が凸部の形状に適合し、水受け槽の外壁部が凸部に固定接続し、かつ、水受け槽の側壁部における内壁部側部分に、調理器蓋の周縁との間に開口を形成する開口部を設ける。【選択図】図１
0003164604.tif 000002
【実用新案登録請求の範囲】
【請求項１】
調理器蓋であって、調理器蓋と調理器蓋に取り付ける取っ手からなり、その調理器蓋の周縁部には、水受け槽が設置されていることを特徴とする水受け槽付き調理器蓋。
【請求項２】
前記調理器蓋の周縁部に外側に膨らんでいる凸部が形成され、前記水受け槽が凸部の形状に適合し、前記水受け槽の外壁部が凸部に固定接続し、かつ、前記水受け槽の側壁部における内壁部側部分に、前記調理器蓋の周縁との間に開口を形成する開口部を設けたことを特徴とする請求項１に記載の水受け槽付き調理器蓋。
【請求項３】
前記調理器蓋の周縁において、凸部を除く周縁部内側に、水路を形成し、水路の両終端が前記開口部に接続していることを特徴とする請求項２に記載の水受け槽付き調理器蓋。
【請求項４】
前記水受け槽は底部が長方形の箱構造をし、前記内壁部の上側端面は前記調理器蓋の周縁部と当接し、前記側壁部が円弧形状を呈し、かつ、凸部両側面形状と適合することを特徴とする請求項１ないし請求項３のいずれかに記載の水受け槽付き調理器蓋。
【請求項５】
前記凸部に接続穴を形成し、前記水受け槽の外壁部に前記凸部の接続穴と適合する通り穴が形成され、リベットまたはネジにより前記調理器蓋と前記水受け槽を接続固定することを特徴とする請求項１ないし請求項４のいずれかに記載の水受け槽付き調理器蓋。
【請求項６】
前記取っ手が、前記調理器蓋とのなす角度を調整することができ、かつ、前記水受け槽側に配置されていることにより、前記取っ手と前記水受け槽の支えにより調理器蓋が安定に立つことができることを特徴とする請求項１ないし請求項５のいずれかに記載の水受け槽付き調理器蓋。
【請求項７】
前記調理器蓋の真ん中に取っ手を取り付ける固定孔を形成して、前記固定孔により前記調理器蓋と前記取っ手に備えられた台座を固定し、かつ、前記取っ手の本体部分が回転自在におよび前記調理器蓋とのなす角度を調整可能に前記取っ手に備えられた台座と嵌合し、取っ手を水受け槽側に回したとき、前記取っ手と前記水受け槽の支えにより調理器蓋が安定に立つことができることを特徴とする請求項１ないし請求項５のいずれかに記載の水受け槽付き調理器蓋。
【考案の詳細な説明】
【技術分野】
【０００１】
本考案は調理器蓋に関し、特に水を溜めることが可能な調理器蓋に関する。
【背景技術】
【０００２】
日常生活の中で、調理中調理器蓋を取って置く時、水蒸気の水が調理器蓋に沿って流れて落ちるから、通常立てさせて置かずに、裏返して横置きする。しかし、その場合、スペースを取り、使用上不便である。調理器蓋を立てて置くときの水蒸気水が流れて落ちる問題に対して、調理器蓋専用の調理器蓋台がある。この調理器蓋台の下には水をためるケースがあり、ある程度、調理器蓋の置く問題が解決したが、一定のスペースを取り、加えてコストも比較的に高い。
【先行技術文献】
【特許文献】
【０００３】
【特許文献１】実開平６−２１５５８公報
【考案の概要】
【考案が解決しようとする課題】
【０００４】
本考案は上述の従来技術と問題に対して、仕組みが簡単で、コストが低い、水を溜めることが可能な調理器蓋を提供することを目的とする。
【課題を解決するための手段】
【０００５】
上述した技術課題を解決するために、本発明に係る技術手段は以下の特徴を有する。
【０００６】
本考案に係る水受け槽付き調理器蓋は、調理器蓋であって、調理器蓋と調理器蓋に取り付ける取っ手からなり、その調理器蓋の周縁部には、水受け槽が設置されていることを特徴とする。
【０００７】
本考案に係る水受け槽付き調理器蓋は、前記調理器蓋の周縁部に外側に膨らんでいる凸部が形成され、前記水受け槽が凸部の形状に適合し、前記水受け槽の外壁部が凸部に固定接続し、かつ、前記水受け槽の側壁部における内壁部側部分に、前記調理器蓋の周縁との間に開口を形成する開口部を設けたことを特徴とする。
【０００８】
本考案に係る水受け槽付き調理器蓋は、前記調理器蓋の周縁において、凸部を除く周縁部内側に、水路を形成し、水路の両終端が前記開口部に接続していることを特徴とする。
【０００９】
本考案に係る水受け槽付き調理器蓋は、前記水受け槽は底部が長方形の箱構造をし、前記内壁部の上側端面は前記調理器蓋の周縁部と当接し、前記側壁部が円弧形状を呈し、かつ、凸部両側面形状と適合することを特徴とする。
【００１０】
本考案に係る水受け槽付き調理器蓋は、前記凸部に接続穴を形成し、前記水受け槽の外壁部に前記凸部の接続穴と適合する通り穴が形成され、リベットまたはネジにより前記調理器蓋と前記水受け槽を接続固定することを特徴とする。
【００１１】
本考案に係る水受け槽付き調理器蓋は、前記取っ手が、前記調理器蓋とのなす角度を調整することができ、かつ、前記水受け槽側に配置されていることにより、前記取っ手と前記水受け槽の支えにより調理器蓋が安定に立つことができることを特徴とする。
【００１２】
本考案に係る水受け槽付き調理器蓋は、前記調理器蓋の真ん中に取っ手を取り付ける固定孔を形成して、前記固定孔により前記調理器蓋と前記取っ手に備えられた台座を固定し、かつ、前記取っ手の本体部分が回転自在におよび前記調理器蓋とのなす角度を調整可能に前記取っ手に備えられた台座と嵌合し、取っ手を水受け槽側に回したとき、前記取っ手と前記水受け槽の支えにより調理器蓋が安定に立つことができることを特徴とする。
【考案の効果】
【００１３】
従来技術と比べて、本考案のメリットは下記の通りである。
１、水蒸気による水を溜めることができる調理器蓋であって、取っ手が付ける外側の周縁に水槽が接続設置されている。また、調理器蓋の内側の周縁に水路がある。調理器蓋を立てて置くとき、下の水受け槽が支えになり、調理器蓋に残る水蒸気による水が水路に沿って水受け水槽に流れることができ、使用が非常に便利である。
２、水受け槽の外形ラインが調理器蓋とフィットしているので、邪魔がなく、非常に美観である。
【００１４】
このため、従来技術と比較して、本考案は仕組みが簡易で、使用が便利で、コストが低いメリットがある。
【図面の簡単な説明】
【００１５】
【図１】は本考案に係る各構成部材を示している。
【図２】は本考案に係る水槽が調理器縁と配合する局面断面斜視図である。
【図３】は本考案に係る調理器蓋の突起部の斜視図である。
【図４】は本考案に係る水槽の立体図である。
【図５】は本考案に係る実施例図である。
【図６】図５のＡ部の拡大図である。
【考案を実施するための形態】
【００１６】
以下、本考案の実施例について、図面を参照しながら詳細に説明していく。
【実施例１】
【００１７】
図１ないし図６に示したように、本考案に係る水を溜めることが可能な調理器蓋は、調理器蓋１と調理器蓋１に取り付ける取っ手３からなり、調理器蓋１の真ん中に取っ手３を取り付ける固定孔が開いてあり、固定孔を通して取っ手３の台座２８が固定でき、前記取っ手３の本体が回転自在に前記台座２８と嵌合して、調理器蓋１に取り付けられる。取っ手３と調理蓋の角度を調整することにより調理器蓋１を立てさせて置くことができる。
【００１８】
前記調理器蓋１の取っ手３を付ける外側の周縁に水受け槽２が接続設置されている。前記調理器蓋１の取っ手３の外側の周縁に外側に膨らんでいる凸部１１がプレス成型してあり、凸部１１には接続孔１３が開いていて、前記水受け槽２は底部２６が長方形の略箱構造をし、水受け槽２の外壁部２１の形状が凸部１１の裏面と適合し、外壁部２１に凸部１１の接続孔１３と合わせる通り孔２４があり、リベット４で水受け槽２を凸部１１に固定することができる。水受け槽２の側壁部２３が円弧形状をし、凸部１１の両側とフィットするので、ラインが滑らかで美観である。水受け槽２の内壁部２２の左右端部の上側端面が調理器蓋１の周縁部と当接しているので、調理器蓋１はガタツキなく調理器具に被せることができる。水受け槽の側壁部２３における内壁部側部分に、前記調理器蓋１の周縁との間に開口を形成する開口部２５が設けられている。前記調理器蓋１の凸部１１を除く周縁部内側に、水路１２が形成され、水路の両終端は前記開口部２５に接続して、水路を流れる水蒸気による水を円滑に水受け槽に溜めることができる。
【００１９】
図５に示したように、調理器蓋１を取り外すとき、必要によって取っ手を下向き方向に回して調理器蓋１と取っ手３とのなす角度を大きくし、取っ手３と水受け槽２との支えにより調理器蓋を容易に、尚且つ、安定的に立たせることができる。また、調理器蓋１に残る水蒸気水が水路１２に沿って流れて水受け槽２に溜まるので、置く台を汚すことがない。
【産業上の利用可能性】
【００２０】
本考案の実施例は調理器蓋に応用できるほかに、それ以外の他の本体や調理器具にも適用可能であり、産業上の利用可能性は高い。本実施例は水を溜めることが可能な調理器蓋の最良の実施案であるが、それは本考案に対する保護範囲の制限と理解するべきではなく、水を溜めることが可能なほかの類似的な技術手段も全て本考案の保護範囲内である。
【符号の説明】
【００２１】
１……調理器蓋
２……水受け槽
３……取っ手
４……リベット（或いはネジ）
１１……凸部
１２……水路
１３……接続孔
２１……外壁部
２２……内壁部
２３……側壁部
２４……通り孔
２５……開口部
２６……底部
２７……取っ手本体
２８……台座
２９……固定孔
【図１】
0003164604.tif 000003
【図２】
0003164604.tif 000004
【図３】
0003164604.tif 000005
【図４】
0003164604.tif 000006
【図５】
0003164604.tif 000007
【図６】
0003164604.tif 000008